(57)【要約】【課題】製造コストの増加を抑制しつつ、キャビネット本体が変形することを抑制できるキャビネットを提供する。【解決手段】キャビネット本体３、取付ベース６、及び照明装置５を備える。キャビネット本体３は、合成樹脂製である。取付ベース６は、金属製で長形である。取付ベース６は、キャビネット本体３に取り付けられる。照明装置５は取付ベース６に取り付けられる。【選択図】図１
2014223284.tif 000002
【特許請求の範囲】
【請求項１】
合成樹脂製のキャビネット本体と、
前記キャビネット本体に取り付けられる金属製で長形の取付ベースと、
前記取付ベースに取り付けられる照明装置とを備えたことを特徴とするキャビネット。
【請求項２】
前記キャビネット本体の前側に設けられる扉を備え、
前記キャビネット本体は、前方に開口して前記扉によって開閉される収納空間を有し、
前記キャビネット本体の前側に前記取付ベースが取り付けられたことを特徴とする請求項１に記載のキャビネット。
【請求項３】
前記取付ベースが前記キャビネット本体の上端部から下端部にまで亘ることを特徴とする請求項１又は請求項２に記載のキャビネット。
【請求項４】
前記照明装置が、
回路基板と、
この回路基板に設けられた光源と、
前記取付ベースの長さ方向に延びる長形の導光部材とを有し、
前記導光部材が前記取付ベースに取り付けられ、
前記取付ベースが前記回路基板に熱的に接続された金属製の放熱部であることを特徴とする請求項１乃至３のいずれか１項に記載のキャビネット。
【発明の詳細な説明】
【技術分野】
【０００１】
本発明は、照明装置を備えたキャビネットに関する。
【背景技術】
【０００２】
特許文献１には、照明装置を備えたミラーキャビネットが開示されている。このミラーキャビネットは、キャビネット本体の収納空間を閉塞する扉を備えている。扉には、前方を照らすために、多数の発光ダイオードを有する照明装置が設けられている。
【先行技術文献】
【特許文献】
【０００３】
【特許文献１】特開２００７−９８０３４号公報
【発明の概要】
【発明が解決しようとする課題】
【０００４】
ところで、キャビネット本体が合成樹脂製であると、キャビネット本体が変形してしまう恐れがある。キャビネット本体が変形すると、見栄えや機能を損ねる可能性がある。また、例えばキャビネット本体に扉が設けられる場合には、扉が傾いたり、扉のキャビネット本体に対する位置がずれたりする可能性もある。また、キャビネット本体に別途補強部材を設けると、製造コストが増すことが懸念される。
【０００５】
本発明は前記事情に鑑みてなされたものであって、製造コストを抑えつつ、キャビネット本体が変形し難いキャビネットを提供することを課題とする。
【課題を解決するための手段】
【０００６】
前記課題を解決するために本発明のキャビネットは、合成樹脂製のキャビネット本体と、前記キャビネット本体に取り付けられる金属製で長形の取付ベースと、前記取付ベースに取り付けられる照明装置とを備えたことを特徴とする。
【０００７】
また、前記キャビネット本体の前側に設けられる扉を備え、前記キャビネット本体は、前方に開口して前記扉によって開閉される収納空間を有し、前記キャビネット本体の前側に前記取付ベースが取り付けられることが好ましい。
【０００８】
また、前記取付ベースが前記キャビネット本体の上端部から下端部にまで亘ることが好ましい。
【０００９】
また、前記照明装置が、回路基板と、この回路基板に設けられた光源と、前記取付ベースの長さ方向に延びる長形の導光部材とを有し、前記導光部材が前記取付ベースに取り付けられ、前記取付ベースが前記回路基板に熱的に接続された金属製の放熱部であることが好ましい。
【発明の効果】
【００１０】
本発明にあっては、合成樹脂製のキャビネット本体を、金属製で長形の取付ベースで補強でき、キャビネット本体が変形することを抑制できる。また、照明装置をキャビネット本体に取り付けるための取付ベースを利用してキャビネット本体を補強できるため、キャビネットの部材点数を減らし、キャビネットの製造コストが増加することを抑制できる。
【図面の簡単な説明】
【００１１】
【図１】本発明の一実施形態のキャビネットの照明ユニットを示す斜視図である。
【図２】本発明の一実施形態のキャビネットを具備する洗面化粧台の正面図である。
【図３】本発明の一実施形態のキャビネットの水平断面図である。
【図４】図３のＡ部拡大図である。
【図５】本発明の一実施形態の一部の扉を取り外したキャビネットの正面図である。
【図６】本発明の一実施形態の照明ユニットの下側且つ前側から見たときの斜視図である。
【図７】本発明の一実施形態の照明ユニットにおいて取付ベースから照明装置を取り外した状態を示す斜視図である。
【図８】本発明の一実施形態の取付ベース及びこれに取り付けられた光源ブロックを示す斜視図である。
【図９】本発明の一実施形態の強磁性体及び磁石を設けたキャビネットの要部斜視図である。
【発明を実施するための形態】
【００１２】
以下、添付図面に基づいて本発明の実施形態について説明する。図２に本実施形態のキャビネット１を含む洗面化粧台を示す。なお、以下では、図２に示すキャビネット１の設置状態における方向を基準にして記述する。すなわち、以下では、図２において、Ｄ１に示す方向を上方、Ｄ２に示す方向を下方と定義して記述する。また、以下では、図３においてＤ３に示す方向を前方、Ｄ４に示す方向を後方、Ｄ５に示す方向を右方、Ｄ６に示す方向を左方と定義して記述する。
【００１３】
図２に示す洗面化粧台は、洗面台２とキャビネット１を備えている。洗面台２は、後面側を部屋の壁に沿わせた状態で床上に設置される。キャビネット１は、洗面台２の上方に設けられている。
【００１４】
洗面台２は、洗面ボウル２０を備えている。洗面ボウル２０は、洗面台２の上部に設けられている。洗面ボウル２０の上面には、下方に凹み上方に開口したボウル部（不図示）が形成されている。洗面ボウル２０の上面の後端部には、上方に突出した立ち上がり壁部２００が形成されている。
【００１５】
本実施形態のキャビネット１は、図３に示すように、キャビネット本体３、複数の照明ユニット４、及び複数の扉８を備えている。
【００１６】
キャビネット本体３は、合成樹脂製である。キャビネット１は、例えばキャビネット本体３の後面側を部屋の壁に沿わせた状態で、複数のねじ等を用いて壁に固定される。なお、キャビネット本体３は、部屋の壁に対して固定されなくてもよい。
【００１７】
キャビネット本体３は、洗面台２の立ち上がり壁部２００の上方に配置される。キャビネット本体３は、洗面台２の立ち上がり壁部２００よりも前方に突出して配置される。
【００１８】
図５に示すように、本実施形態のキャビネット本体３は、天井部３０、底部３１、一対の側壁部３２、後壁部３３、複数の収納空間３４、及び複数の仕切壁部３５（図３）を有している。以下、特に区別する場合には、キャビネット本体３の両側の側壁部３２のうち、右側の側壁部３２を側壁部３２Ａと記載し、左側の側壁部３２を側壁部３２Ｂと記載する。
【００１９】
天井部３０の上面は、キャビネット本体３の上面である。底部３１の下面は、キャビネット本体３の下面である。両側壁部３２の外面は、キャビネット本体３の外側面である。後壁部３３の後面は、キャビネット本体３の後面である。
【００２０】
図３に示すように、複数の収納空間３４は左右に並べて形成されている。本実施形態では、収納空間３４がキャビネット本体３の左右方向における両側と中央の計三箇所に設けられている。各収納空間３４は前方に向かって開口している。
【００２１】
以下、特に区別する場合には、キャビネット本体３の右側に形成された収納空間３４を収納空間３４Ａと記載する。また、キャビネット本体３の左右方向における中央に形成された収納空間３４を収納空間３４Ｂと記載する。また、キャビネット本体３の左側に形成された収納空間３４を収納空間３４Ｃと記載する。
【００２２】
キャビネット本体３の両側壁部３２の間には、２つの仕切壁部３５が形成されている。両仕切壁部３５は左右に並んでいる。各仕切壁部３５は、後壁部３３から前方に向かって突出している。すなわち、仕切壁部３５は、後壁部３３の両側壁部３２の間の部分における左右両側に形成されている。各仕切壁部３５は縦長である。各仕切壁部３５は、天井部３０から底部３１にまで亘っている。
【００２３】
各仕切壁部３５は、天井部３０及び底部３１よりも前方への突出長さが短くなっている。各仕切壁部３５の前面は、天井部３０の前面及び底部３１の前面よりも後方に位置している。なお、天井部３０の前面と底部３１の前面は、前後方向において同じ位置に配置されている。
【００２４】
以下、特に区別する場合には、キャビネット本体３の右側に形成された仕切壁部３５を仕切壁部３５Ａと記載し、キャビネット本体３の左側に形成された仕切壁部３５を仕切壁部３５Ｂと記載する。
【００２５】
キャビネット本体３の右側の収納空間３４Ａは、正面視で、右側の側壁部３２Ａ、右側の仕切壁部３５Ａ、天井部３０、及び底部３１によって囲まれた空間である。キャビネット本体３の中央の収納空間３４Ｂは、正面視で、両仕切壁部３５Ａ、３５Ｂ、天井部３０、及び底部３１によって囲まれた空間である。右側の収納空間３４Ａと中央の収納空間３４Ｂの間には、右側の仕切壁部３５Ａが位置している。すなわち、右側の仕切壁部３５Ａは、右側の収納空間３４Ａと中央の収納空間３４Ｂの間の部分である。
【００２６】
キャビネット本体３の左側の収納空間３４Ｃは、正面視で、左側の側壁部３２Ｂ、左側の仕切壁部３５Ｂ、天井部３０、及び底部３１によって囲まれた空間である。左側の仕切壁部３５Ｂは、左側の収納空間３４Ｃと中央の収納空間３４Ｂの間に位置している。すなわち、左側の仕切壁部３５Ｂは、左側の収納空間３４Ｃと中央の収納空間３４Ｂの間の部分である。
【００２７】
このようにキャビネット本体３は、天井部３０、底部３１、両側の側壁部３２、及び後壁部３３で囲まれた空間が、縦長の２つの仕切壁部３５で仕切られている。これにより、キャビネット本体３には、内部が収納空間３４となった収納部が複数形成されている。
【００２８】
各照明ユニット４は、キャビネット本体３の前側に設けられている。本実施形態では、各仕切壁部３５に照明ユニット４が設けられている。
【００２９】
図１に示すように、本実施形態の各照明ユニット４は、取付ベース６と照明装置５を備えている。取付ベース６は上下方向に延びる長形（縦長）である。
【００３０】
各照明ユニット４は、図４に示すように、取付ベース６と照明装置５を備えている。各照明ユニット４の取付ベース６は金属製であって、例えば、アルミニウム、鉄、銅等の熱伝導性の優れた金属材料から形成されている。
【００３１】
図７に示すように、各照明ユニット４の取付ベース６は、収納溝部６０と、延出部６１を有している。各取付ベース６の収納溝部６０は、縦長で前方及び上下に開口する溝形に形成されている。各取付ベース６の延出部６１は、収納溝部６０の上端部から上側に伸び出ている。
【００３２】
図４に示すように、各取付ベース６の収納溝部６０は、後片部６００と、一対の側片部６０１とを有している。各取付ベース６の後片部６００は、収納溝部６０の溝奥部分である。各取付ベース６の後片部６００の後面は、収納溝部６０の後面である。各取付ベース６の側片部６０１は、後片部６００の両側から前方に向かって突出している。各側片部６０１は収納溝部６０の側壁である。各側片部６０１の外面は、収納溝部６０の外側面である。
【００３３】
各照明ユニット４の取付ベース６は、図４に示すように、収納溝部６０の後面が仕切壁部３５の前面に当たって接している（当接している）。
【００３４】
図８に示すように、各取付ベース６の延出部６１は、立上片部６１０と突出片部６１１を有している。各取付ベース６の立上片部６１０は、収納溝部６０の後片部６００から上方に向かって延び出ている。各取付ベース６の突出片部６１１は、立上片部６１０の上端部から前側に向かって突出している。
【００３５】
各取付ベース６の突出片部６１１は、後部が前部よりも一段高くなるように屈曲している。各取付ベース６の突出片部６１１の後部は、収納溝部６０の上端開口から空間６１２を介して上方に離れた箇所に位置している。すなわち、空間６１２は突出片部６１１の下方に位置している。空間６１２は、左右両側方に開放されている。
【００３６】
本実施形態のキャビネット本体３は、図５に示す、複数の凹部３７及び複数の嵌込溝部３６をさらに有している。
【００３７】
凹部３７は、キャビネット本体３の天井部３０の上面において各仕切壁部３５に対応する箇所に形成されている。各凹部３７は、下方に向かって凹んでいる。各凹部３７の底面は、天井部３０の上面の一部である。各凹部３７は平面視矩形状に形成されており、上方及び前方に開口している。
【００３８】
嵌込溝部３６は、キャビネット本体３の底部３１及び天井部３０において各仕切壁部３５に対応する箇所の前面に形成されている。各嵌込溝部３６は、前方に開口している。以下、特に区別する場合には、天井部３０に形成された嵌込溝部３６を嵌込溝部３６Ａと記載し、底部３１に形成された嵌込溝部３６を嵌込溝部３６Ｂと記載する。
【００３９】
天井部３０に形成された各嵌込溝部３６Ａは、各凹部３７の底面の前端部の一側端部を構成する部分に形成されている。各嵌込溝部３６Ａは、天井部３０を上下に貫通している。各嵌込溝部３６Ａの上開口部は、凹部３７の底面に形成されている。各嵌込溝部３６Ａは、上開口部から上方に向かって開口している。
【００４０】
底部３１に形成された各嵌込溝部３６Ｂは、底部３１を上下に貫通している。各嵌込溝部３６Ｂの下開口部は、底部３１の下面に形成されている。各嵌込溝部３６Ｂは、下開口部から下方に向かって開口している。
【００４１】
各取付ベース６の収納溝部６０の上端部は、対応する嵌込溝部３６Ａに嵌め込まれている。各取付ベース６の上端部に設けられた、図６に示す突出片部６１１は、対応する凹部３７内の上部に配置されており、対応する凹部３７の底面よりも上方に位置している。これにより、突出片部６１１の後部と収納溝部６０の上端開口との間に形成された空間６１２は、凹部３７内の空間を経てキャビネット本体３の外方に通じている。
【００４２】
各取付ベース６の収納溝部６０の下端部は、図４に示すように、キャビネット本体３の底部３１に形成された嵌込溝部３６Ｂに嵌め込まれている。各取付ベース６の収納溝部６０の下端部は、下方に向かって開口し、キャビネット本体３の底部３１の下側に通じている。
【００４３】
各取付ベース６の後片部６００は、前方より挿入したねじ１３によって、仕切壁部３５に固定されている。これにより、キャビネット本体３の前側には、キャビネット本体３の上端部から下端部にまで亘る取付ベース６が複数取り付けられる。また、キャビネット本体３において左右に並ぶ収納空間３４の間の部位である仕切壁部３５には、前方に開口する収納溝部６０が設けられる。
【００４４】
各取付ベース６の収納溝部６０の両側片部６０１は、キャビネット本体３の天井部３０及び底部３１よりも前方に突出している。
【００４５】
各照明装置５は、上下方向に延びる長形（縦長）である。各照明装置５は、取付ベース６の前側に取り付けられている。すなわち、各照明装置５は、対応する取付ベース６を介してキャビネット本体３の前側に取り付けられている。
【００４６】
本実施形態の各照明装置５は、図６乃至図８に示すように、光源ブロック５４、ホルダー５０、導光部材５１、下キャップ５２、及び表面カバー５５を有している。
【００４７】
図８に示すように、各照明装置５の光源ブロック５４は、回路基板５４０と、回路基板５４０に設けられた光源５４１を備えている。
【００４８】
各照明装置５の回路基板５４０は、取付ベース６の上端部に設けられた突出片部６１１の前部の下面に沿って取り付けられている。これにより、各照明装置５の回路基板５４０は、取付ベース６に熱的に接続されている。このため、発光した光源５４１や光源５４１が実装された回路基板５４０において熱が発生したときには、この熱が取付ベース６に伝えられ、取付ベース６において放散する。すなわち、本実施形態の取付ベース６は、光源５４１や回路基板５４０で発生した熱を放散する放熱部になっている。
【００４９】
なお、各照明装置５の回路基板５４０の上面は、突出片部６１１の前部の下面に直接接してもよいし、シリコーン等の熱伝導性の優れた材料によって形成された放熱シート等を介して突出片部６１１に間接的に接してもよい。
【００５０】
光源５４１は、回路基板５４０の下面に実装されている。光源５４１は、点光源であり、例えば発光ダイオードである。なお、光源５４１は、発光ダイオード以外の点光源であってもよいし、点光源以外の光源であってもよい。
【００５１】
各照明装置５の光源５４１は、下方に向けた状態で回路基板５４０に設けられている。各照明装置５の光源５４１は、下方に向かって光を出射する。なお、本実施形態では、光源ブロック５４の発熱量を抑えるために、回路基板５４０に光源５４１が一つだけ設けられているが、回路基板５４０には光源５４１が複数設けられてもよい。
【００５２】
各照明装置５のホルダー５０は、図７に示すように、上下に伸びる縦長の部材である。各ホルダー５０は例えば合成樹脂製である。各照明装置５のホルダー５０は、対応する取付ベース６と上下長さが略同じである。
【００５３】
各照明装置５のホルダー５０は、保持溝部５００を有している。各保持溝部５００は、前方に向かって開口している。各保持溝部５００は、ホルダー５０の上下に亘って形成されている。
【００５４】
各照明装置５の導光部材５１は、縦長棒状に形成されている。各導光部材５１は、長さ方向と直交する断面の形状が長さ方向に亘って一様である。
【００５５】
各導光部材５１の上下長さは、対応するホルダー５０の上下長さと略同じである。各導光部材５１は、例えばアクリル樹脂やポリカーボネート樹脂等の透明な樹脂から形成されている。各導光部材５１は、透光性を有している。各導光部材５１は、図４に示すように保持溝部５００内に嵌め込まれることで、対応するホルダー５０に保持されている。
【００５６】
各導光部材５１は、図４及び図７に示すように、入光部５１０、反射部５１１、及び出光部５１２を有している。各照明装置５の導光部材５１の上端面は、ホルダー５０の保持溝部５００の上開口部から、ホルダー５０の上方に向かって露出している。本実施形態では、各照明装置５の導光部材５１の上端面が入光部５１０である。すなわち、各導光部材５１は、長さ方向の端部が入光部５１０となっている。
【００５７】
各導光部材５１の入光部５１０は、対応する光源５４１の下方に配置されて光源５４１に対向している。これにより、光源５４１から発せられた光は、入光部５１０から導光部材５１に入射する。
【００５８】
各導光部材５１の後面には、図４に示すように、反射部５１１が設けられている。各導光部材５１の反射部５１１は、例えば導光部材５１の後面に印刷や蒸着によって反射性の物質を設けたり、微細な凹凸を設けたり、二色成形によって反射部分を設けたりすることによって形成される。
【００５９】
各導光部材５１の入光部５１０から導光部材５１に入射した光は、導光部材５１の内部を下方に向かって進行する過程で反射部５１１において拡散して前側に反射する。換言すると、各導光部材５１の反射部５１１は、入光部５１０から導光部材５１に入射した光を、拡散して前側に反射するように構成されている。
【００６０】
各導光部材５１の出光部５１２は、導光部材５１の前方に臨んだ前面である。すなわち、各導光部材５１の出光部５１２は、導光部材５１の長さ方向に沿う一面である。各導光部材５１の出光部５１２は、ホルダー５０の保持溝部５００の前開口部から、ホルダー５０の前方に向かって露出している。各導光部材５１の出光部５１２は、反射部５１１で反射した光を前側に出射するように構成されている。
【００６１】
各照明装置５の下キャップ５２は、図６に示すように、ホルダー５０の下端面に沿って配置されている。各照明装置５の下キャップ５２は、ねじ１４によってホルダー５０の下端部に取り付けられている。
【００６２】
各照明装置５の下キャップ５２は、ホルダー５０に保持された導光部材５１の直下に位置し、導光部材５１の下方への移動を規制する。
【００６３】
各照明装置５のホルダー５０の後部上端面（図７参照）は、回路基板５４０よりも後側の位置において、取付ベース６の突出片部６１１の前部の下面に当たって接している。各取付ベース６の突出片部６１１の前部は、複数のビス７０によりホルダー５０の上端部に固定されている。
【００６４】
各照明装置５の表面カバー５５は上下方向に延びる縦長である。各照明装置５の表面カバー５５の上下長さは、ホルダー５０の上下長さ及び導光部材５１の上下長さと略同じである。
【００６５】
図４に示すように、各照明装置５の表面カバー５５の断面形状は、後方に開口した溝形である。各照明装置５の表面カバー５５は、前片部５５０と一対の掛止片部５５１を有している。
【００６６】
前片部５５０の前面は、表面カバー５５の前面である。掛止片部５５１は、前片部５５０の両側から後方に向かって突出している。
【００６７】
各照明装置５の表面カバー５５は、両掛止片部５５１をホルダー５０の前部に引っ掛けて固定（掛止）することで、導光部材５１の前面を覆うようにホルダー５０に取り付けられる。
【００６８】
各照明装置５の表面カバー５５は、透光性を有している。各照明装置５の導光部材５１の出光部５１２から出射された光は、表面カバー５５の前片部５５０を透過してキャビネット本体３の前側に出射する。すなわち、各表面カバー５５の前片部５５０は、照明装置５において前方に光を出す発光部分となる。
【００６９】
各照明装置５のホルダー５０は、被規制部５０３を有している。各照明装置５の被規制部５０３は、一対の被掛止部５０４を有している。各照明装置５のホルダー５０の後面の両側には、引掛片部５０１が形成されている。各引掛片部５０１は、後方に向かって突出している。被掛止部５０４は、ホルダー５０の両引掛片部５０１に形成されている。各被掛止部５０４は、引掛片部５０１の後端部から、ホルダー５０の幅方向（左右方向）の外側に向かって突出している。
【００７０】
一方、各取付ベース６は、規制部６３を有している。規制部６３は、対応する照明装置５の被規制部５０３の前後方向の移動を規制している。
【００７１】
本実施形態の各規制部６３は、一対の掛止部６３０と、一対の後止部６３１を有している。掛止部６３０は、取付ベース６の各側片部６０１に形成されている。各掛止部６３０は、側片部６０１の後部から、取付ベース６の幅方向（左右方向）の内側に向かって突出している。
【００７２】
後止部６３１は、取付ベース６の各側片部６０１に形成されている。各後止部６３１は、側片部６０１から取付ベース６の内側方に向かって突出している。各後止部６３１は、対応する掛止部６３０の後方に位置している。
【００７３】
各引掛片部５０１の被掛止部５０４は、取付ベース６の対応する掛止部６３０と、対応する後止部６３１の間に嵌め込まれる。これにより、各被掛止部５０４は、前後方向の移動が規制される。すなわち、取付ベース６の対応する掛止部６３０の後面に引っ掛けられて前方への移動が規制される。また、各被掛止部５０４は、対応する後止部６３１に対向し、この後止部６３１の前面の近傍に配置される又は接し、これにより後方への移動が規制される。各照明装置５の被規制部５０３は、対応する取付ベース６の規制部６３に対して上下方向にスライド可能である。すなわち、取付ベース６の規制部６３は対応する照明装置５の被規制部５０３の前後方向及び左右方向の移動のみを規制し、各照明装置５の被規制部５０３は、対応する取付ベース６の規制部６３に対して上下方向の移動が規制されていない。
【００７４】
また、図示は省略するが、各照明装置５のホルダー５０の長さ方向における一か所は、取付ベース６の収納溝部６０にビスによって固着されている。
【００７５】
各照明装置５のホルダー５０及び導光部材５１は、キャビネット本体３の天井部３０の前面及び底部３１の前面よりも前方に突出している。また、各照明装置５の表面カバー５５の前面は、前後方向において、収納空間３４を閉塞した各扉８の前面と略同じ位置（詳しくは僅かに後方位置）に配置されている。
【００７６】
各照明装置５の取付ベース６の収納溝部６０内における導光部材５１の後側には、通気路７４が形成されている。各通気路７４は、取付ベース６の収納溝部６０とホルダー５０の後面部とで囲まれた空間である。各通気路７４は、上下方向に延び、縦長である。各通気路７４は、収納溝部６０の上下方向の略全長に亘っている。
【００７７】
各照明装置５のホルダー５０の下端部に設けられた下キャップ５２は、取付ベース６の後片部６００よりも隙間７３を介して前方に位置している。各通気路７４の下端部は、隙間７３からキャビネット本体３の外方（詳しくは下方）に開放されている。これにより、各通気路７４の下端部は、キャビネット本体３の下方の空間に通じている。
【００７８】
このため、キャビネット本体３の外部に存在する空気は、各通気路７４に隙間７３を介して導入される。すなわち、各ホルダー５０の下端部に設けられた隙間７３は、対応する通気路７４にキャビネット本体３の外部の空気を取り入れるための吸気口になっている。
【００７９】
各通気路７４の上端部は、図６に示す突出片部６１１の後部と収納溝部６０の上端開口との間に形成された空間６１２を介して、キャビネット本体３の凹部３７（図５参照）内に通じている。このため、各通気路７４に存在する空気は、通気路７４を上昇した後、空間６１２を介して凹部３７に入り、この後、キャビネット本体３の前方や上方に導出される。従って、前述のように回路基板５４０から取付ベース６に伝わった熱は、通気路７４を通過する空気に伝わり、この空気と共にキャビネット本体３の上端部から放出される。なお、各照明装置５の取付ベース６の上端部は、通気路７４が空間６１２を介してキャビネット本体３の外部に通じるものであれば、例えば凹部３７に嵌め込まれたカバーで覆ってもよい。
【００８０】
図３に示すように、キャビネット１が有する複数の扉８は、キャビネット本体３の前面に設けられている。本実施形態では、キャビネット本体３の収納空間３４毎に扉８が設けられている。
【００８１】
本実施形態の各扉８は、前面が鏡面となった鏡扉である。すなわち、本実施形態のキャビネット１は、前面を構成する扉８を鏡扉としたミラーキャビネットである。
【００８２】
各扉８は、蝶番１１を介してキャビネット本体３の天井部３０の前面及び底部３１の前面の夫々に取り付けられている。各扉８は対応する収納空間３４を閉塞する位置から収納空間３４の前方を開放する位置まで左右に回動可能である。
【００８３】
キャビネット１に設けられた各照明装置５は、図８に示す光源５４１を発光することで導光部材５１からキャビネット１の前側に光を発する。すなわち、光源５４１から下向きに照射された光は、導光部材５１の上端面である入光部５１０（図７参照）から導光部材５１に導入され、この後、導光部材５１の下端側に向かう過程で図４に示す反射部５１１において拡散して前側に反射する。この光は出光部５１２から前側に出射し、表面カバー５５を透してキャビネット１の前側に出射する。これにより、扉８の前面に設けられた鏡面を利用する利用者は、出光部５１２から表面カバー５５を透して出射された光を利用して、化粧や洗面等を行うことができる。
【００８４】
以上説明した本実施形態のキャビネット１は、以下に示す第１の特徴を有する。すなわち、キャビネット１は、キャビネット本体３、取付ベース６、及び照明装置５を備える。キャビネット本体３は、合成樹脂製である。取付ベース６は、キャビネット本体３に取り付けられる。取付ベース６は、金属製で長形である。照明装置５は、取付ベース６に取り付けられる。このキャビネット１は、合成樹脂製のキャビネット本体３を、金属製で長形の取付ベース６で補強でき、キャビネット本体３が変形することを抑制できる。例えばキャビネット本体３を後面を部屋の壁に沿わせた状態で複数のビス等を用いて壁に固定した場合、壁の不陸によってキャビネット本体３が変形する恐れがあるが、このような場合にもキャビネット本体３を変形し難くできる。また、照明装置５をキャビネット本体３に取り付けるための取付ベース６を利用してキャビネット本体３を補強できる。このため、キャビネット１の部材点数を減らし、キャビネット１の製造コストが増加することを抑制できる。
【００８５】
また、第１の特徴を有するキャビネット１は、以下に示す第２の特徴を有することが好ましい。キャビネット１は、キャビネット本体３の前側に設けられる扉８を備える。キャビネット本体３は、前方に開口して扉８によって開閉される収納空間３４を有する。キャビネット本体３の前側に取付ベース６が取り付けられる。このキャビネット１は、取付ベース６により、キャビネット本体３の前側の変形を抑制できる。このため、キャビネット本体３の前側部分の変形により、扉８がキャビネット本体３に対して設計位置よりずれた位置に配置されることを防止できる。
【００８６】
例えば、キャビネット本体３の前面には、図９に示すように、磁石１７が設けられる場合がある。磁石１７は、扉８を閉じた状態にしたときに、扉８の裏面に設けられた強磁性体１６を吸着して扉８を閉じた状態で保持する。しかし、このようなキャビネット１において、キャビネット本体３の前部が変形すると、磁石１７の強磁性体１６に対する位置がずれ、磁石１７で強磁性体１６を強い力で吸着できないことが懸念される。しかし、第２の特徴を有するキャビネット１は、取付ベース６により、キャビネット本体３の前側の変形を抑制できるため、このような事態を生じ難くできる。なお、図９に示す例では、扉８に強磁性体１６が設けられ、キャビネット本体３に磁石１７が設けられているが、扉８に磁石１７が設けられ、キャビネット本体３に強磁性体１６が設けられてもよい。
【００８７】
また、第１又は第２の特徴を有するキャビネット１は、以下に示す第３の特徴を有することが好ましい。取付ベース６がキャビネット本体３の上端部から下端部にまで亘る。このキャビネット１にあっては、キャビネット本体３の上端部から下端部にまで亘る取付ベース６によって、キャビネット本体３を補強できる。
【００８８】
ところで、特許文献１（特開２００７−９８０３４号公報）に開示されたミラーキャビネットは、多数の発光ダイオードを発光させたときに熱が生じ、この熱が籠もって照明装置の不具合等が生じる可能性がある。
【００８９】
このため、第１乃至第３の特徴を有するキャビネット１は、以下に示す第４の特徴を有することが好ましい。照明装置５が、回路基板５４０、光源５４１、及び導光部材５１を有する。光源５４１は、回路基板５４０に設けられる。導光部材５１は、取付ベース６の長さ方向に延びる長形である。導光部材５１が取付ベース６に取り付けられる。取付ベース６が回路基板５４０に熱的に接続された金属製の放熱部である。このキャビネット１は、光源５４１が発光したときに、光源５４１及び回路基板５４０で発生した熱を取付ベース６に伝えて放散できる。従って、照明装置５による照明を行ったときには、キャビネット１に熱が籠もり難くなる。
【００９０】
なお、第２〜第４の特徴は第１の特徴に任意に付加される特徴である。
【００９１】
また、本実施形態のキャビネット１は、以下に示す特徴を有する。キャビネット１は、
キャビネット本体３と、キャビネット本体３に取り付けられる取付ベース６と、照明装置５とを備える。照明装置５が、回路基板５４０回路基板５４０に設けられた光源５４１と、棒状の導光部材５１を有する。導光部材５１は、長さ方向に沿う一面が出光部５１２となり、且つ、長さ方向の端部が光源５４１から発せられた光が導入される入光部５１０となる。導光部材５１は、入光部５１０から導入された光を反射して出光部５１２から出射する。導光部材５１が取付ベース６に取り付けられる。取付ベース６を回路基板５４０に熱的に接続された金属製の放熱部としている。このキャビネット１は、光源５４１が発光することで、光源５４１から照射された光が入光部５１０から導光部材５１に導入され、この後、反射して出光部５１２から出射する。このため、多数の光源５４１を設けることなく、導光部材５１の長さ方向に沿う広範な出光部５１２から光を発して照明できる。
【００９２】
また、本実施形態のキャビネット１はさらに以下の特徴を有する。取付ベース６に導光部材５１の長さ方向に延びる収納溝部６０が形成される。収納溝部６０に導光部材５１が嵌め込まれる。収納溝部６０内に収納溝部６０と導光部材５１とで囲まれた取付ベース６の長さ方向に長い通気路７４が形成される。通気路７４の両端部がキャビネット本体３の外方に連通する。このキャビネット１は、キャビネット本体３の外方の空気を通気路７４に通し、この空気により、取付ベース６の収納溝部６０を冷却することができる。従って、取付ベース６によって効率良く放熱を行うことができ、キャビネット１に一層熱が籠もり難くなる。
【００９３】
なお、本実施形態の通気路７４の下端部は、キャビネット１の下方に開口しているが、キャビネット本体３の外部に通じるものであれば、例えばキャビネット１の前方に開口するものであってもよい。また、通気路７４の上端部も凹部３７に開口したものに限られず、その他の方法によりキャビネット本体３の外部に通じてもよい。
【００９４】
また、本実施形態のキャビネット１には、二つの照明装置５が設けられているが、キャビネット１には照明装置５が１又は３以上設けられてもよい。また、扉８は鏡扉以外の扉であってもよい。また、扉８を省略可能である。
【００９５】
また、本実施形態では、照明装置５をビス７１により取付ベース６に固定したが、照明装置５をビス７１を用いずに取付ベース６に固定してもよい。例えばこの場合、照明装置５は、各被掛止部５０４を、取付ベース６の対応する掛止部６３０と、対応する後止部６３１の間に強く嵌め込むことでのみ取付ベース６に固定することが考えられる。また、この固定に加えて、キャビネット本体３の底部３１の一部で照明装置５を支持することも考えられる。
【００９６】
また、本実施形態の照明装置５及び取付ベース６は、上下方向に延びる長形であるが、照明装置５及び取付ベース６の長さ方向は上下方向に限られず、例えば左右方向等、前後方向と直交する方向であってもよい。
【００９７】
また、この他、キャビネット１は、本発明の趣旨を逸脱しない範囲であれば、適宜変更可能である。
【符号の説明】
【００９８】
１  キャビネット
３  キャビネット本体
５  照明装置
６  取付ベース
５１  導光部材
５４０  回路基板
５４１  光源
【図１】
2014223284.tif 000003
【図２】
2014223284.tif 000004
【図３】
2014223284.tif 000005
【図４】
2014223284.tif 000006
【図５】
2014223284.tif 000007
【図６】
2014223284.tif 000008
【図７】
2014223284.tif 000009
【図８】
2014223284.tif 000010
【図９】
2014223284.tif 000011